(57)【要約】  第１及び第２の無線通信装置を備えた無線通信システムにおいて、第１の無線通信装置は、第１の無線通信路を介してデジタルデータを半二重通信で送受信する第１の無線通信部と、第２の無線通信路を介してデジタルデータを全二重通信で送受信する第２の無線通信部と、第１及び第２の無線通信部に対してデジタルデータの送信制御を行う第１の制御部とを備える。第２の無線通信装置は、第１の無線通信路を介して第１の無線通信部とデジタルデータを半二重通信で送受信する第３の無線通信部と、第２の無線通信路を介して第２の無線通信部とデジタルデータを全二重通信で送受信する第４の無線通信部とを備える。第１の制御部は、第２の無線通信装置に対してデジタルデータを送信指示するときに、第１及び第２の無線通信部から同一のデジタルデータを送信するように第１及び第２の無線通信部を制御する。
2012026109.tif 000002
【特許請求の範囲】
【請求項１】
第１の無線通信装置と第２の無線通信装置とを含む少なくとも複数の無線通信端末装置を備えた無線通信システムであって、
前記第１の無線通信装置は、
第１の無線通信路を介してデジタルデータを半二重通信で送受信する第１の無線通信部と、
第２の無線通信路を介してデジタルデータを全二重通信で送受信する第２の無線通信部と、
前記第１の無線通信部及び前記第２の無線通信部に対してデジタルデータの送信制御を行う第１の制御部とを備え、
前記第２の無線通信装置は、
前記第１の無線通信路を介して前記第１の無線通信部とデジタルデータを半二重通信で送受信する第３の無線通信部と、
前記第２の無線通信路を介して前記第２の無線通信部とデジタルデータを全二重通信で送受信する第４の無線通信部とを備え、
前記第１の制御部は、前記第２の無線通信装置に対してデジタルデータを送信するように指示するときに、前記第１の無線通信部及び前記第２の無線通信部の両方から当該同一のデジタルデータを送信するように前記第１の無線通信部及び第２の無線通信部を制御することを特徴とする無線通信システム。
【請求項２】
前記第２の無線通信装置はさらに、前記第３の無線通信部及び前記第４の通信部に対してデジタルデータの受信制御を行う第２の制御部を備え、
前記第１の制御部は、前記第１の無線通信部及び前記第２の無線通信部の両方から同一のデジタルデータを送信するように指示するときに、当該同一のデジタルデータに同一のフレーム番号を付して送信するように指示し、
前記第２の制御部は、前記第３の無線通信部及び前記第４の無線通信部により同一のフレーム番号が付されたデジタルデータを受信した場合、一方のデジタルデータを破棄するように制御することを特徴とする請求項１記載の無線通信システム。
【請求項３】
第１の無線通信路を介してデジタルデータを半二重通信で送受信する第１の無線通信部と、
第２の無線通信路を介してデジタルデータを全二重通信で送受信する第２の無線通信部と、
前記第１の無線通信部及び前記第２の無線通信部に対してデジタルデータの送受信制御を行う第１の制御部とを備えた第１の無線通信装置である無線通信装置であって、
前記第１の制御部は、
前記第１の無線通信部と前記第１の無線通信路を介してデジタルデータを半二重通信で送受信する第３の無線通信部と、前記第２の無線通信部と前記第２の無線通信路を介してデジタルデータを全二重通信で送受信する第４の無線通信部とを備えた第２の無線通信装置に対して、デジタルデータを送信するように指示するときに、前記第１の無線通信部及び第２の無線通信部の両方からデジタルデータを前記第２の無線通信装置に送信するように制御することを特徴とする無線通信装置。
【請求項４】
前記第１の制御部は、前記第１の無線通信部及び前記第２の無線通信部の両方から同一のデジタルデータを送信するように指示するときに、当該同一のデジタルデータに同一のフレーム番号を付して送信するように指示することを特徴とする請求項３記載の無線通信装置。
【請求項５】
請求項４記載の無線通信装置である第１の無線通信装置と無線通信を行う第２の無線通信装置である無線通信装置であって、
前記第２の無線通信装置は、
前記第１の無線通信路を介して第１の無線通信部とデジタルデータを半二重通信で送受信する第３の無線通信部と、
前記第２の無線通信路を介して前記第２の無線通信部とデジタルデータを全二重通信で送受信する第４の無線通信部と、
前記第３の無線通信部及び前記第４の無線通信部に対してデジタルデータの送受信制御を行う第２の制御部とを備え、
前記第２の制御部は、前記第３の無線通信部及び前記第４の無線通信部により同一のフレーム番号が付されたデジタルデータを受信した場合、一方のデジタルデータを破棄するように制御することを特徴とする無線通信装置。
【発明の詳細な説明】
【技術分野】
【０００１】
本発明は、少なくとも複数の無線通信端末装置を備え、無線通信路を介して半二重及び全二重で無線通信を行う無線通信システム、及び前記無線通信システムのための無線通信装置に関する。
【背景技術】
【０００２】
近年、画像データを無線信号を用いて伝送可能するＷｉｒｅｌｅｓｓＨＤ規格のような技術が出現している。ＷｉｒｅｌｅｓｓＨＤ規格の技術を用いることで、映像装置において、画面を持つテレビジョン受像機と、ディスクを再生するプレーヤなどの装置との間で配線が不要となり、レイアウトを自由にすることが可能である。【０００３】
また、近距離にある装置を無線通信するパーソナルエリアネットワーク（Ｐｅｒｓｏｎａｌ  Ａｒｅａ  Ｎｅｔｗｏｒｋ；以下、ＰＡＮという。）も出現している。ＰＡＮは、ヘッドフオン、心拍測定、リモートコントローラ、機器の制御など、数メーターの範囲の無線通信技術であり、テレビジョン受像機やレコーダのリモートコントローラとして使用され始められている。ＷｉｒｅｌｅｓｓＨＤ規格に準拠した方式は、高速通信が可能である反面、消費電力が大きいため、テレビジョン受像機やプレーヤをコントロールするリモートコントローラや、電源オフ時のテレビジョン受像機とプレーヤ間の通信では、ＰＡＮの一つであるＩＥＥＥ８０２．１５．４規格の技術や、従来の赤外線リモートコントローラを使うのが得策である。【０００４】
ＩＥＥＥ８０２．１５．４規格は、送信と受信を同時に行わない半二重通信を採用している。アクノリッジ信号によるパケット到着の確認を行い、さらにパケットが到着しないときにリトライを行うことで信頼性を向上させている。【０００５】
図７は従来技術に係る無線映像再生システムの構成を示すブロック図である。図７の無線映像再生システムは、プレーヤ４０とテレビジョン受像機４１とを備えて構成され、プレーヤ４０にはリモートコントローラ４２が設けられ、テレビジョン受像機４１にはリモートコントローラ４３が設けられる。なお、ＷｉｒｅｌｅｓｓＨＤ送受信部５０及び５１は、ＷｉｒｅｌｅｓｓＨＤ規格に準拠した方式で全二重通信で無線通信を行う。【０００６】
図７において、ブルーレイディスク（以下、ＢＤ又はＢＤディスクという。）の再生を行う場合、ＢＤドライブ１０でＢＤディスクの再生を行い、再生されたストリームはデコーダ１１に出力される。デコーダ１１では入力されたストリームを映像信号に変換し、ＷｉｒｅｌｅｓｓＨＤ送受信部５０に出力する。ＷｉｒｅｌｅｓｓＨＤ送受信部５０は入力された映像信号を当該映像信号を含む無線信号に符号化してテレビジョン受像機４１のＷｉｒｅｌｅｓｓＨＤ送受信部５１に送信する。これに対して、ＷｉｒｅｌｅｓｓＨＤ送受信部５１は無線信号を受信して、受信した無線信号から映像信号を復号化してディスプレイパネル２１に出力し、ディスプレイパネル２１は映像信号の画像を表示する。【０００７】
プレーヤ４０において、ＢＤドライブ１０、デコーダ１１及びＷｉｒｅｌｅｓｓＨＤ送受信部５０は電源回路１３によって電源を供給されており、適宜、制御部５２によって電源をオン又はオフにされる。また、ＷｉｒｅｌｅｓｓＨＤ送受信部５１とディスプレイパネル２１は電源回路２３によって電源を供給されており、制御部５３によって適宜、電源がオン又はオフされる。電源回路１３及び電源回路２３によって電源を供給される部分以外は、図示されない電源回路によって常時電源を供給される。【０００８】
リモートコントローラ４２は、キーボード５４と無線送信部３０とを備えて構成される。キーボード５４はプレーヤ４０及びテレビジョン受像機４１を操作するための複数のキーを含み、各キーにコマンドが割り当てられている。キーボード５４のあるキーが押されたとき、押されたキーに対応するコマンドを無線送信部３０に送信し、無線送信部３０は受信したコマンドを無線送受信部１７に送信する。これらのコマンドには、プレーヤ４０の電源のオン・オフ、テレビジョン受像機４１の電源のオン・オフ、ＢＤドライブ１０の再生・ストップ・早送りなどの多数の種類のコマンドがある。【０００９】
また、リモートコントローラ４３は、キーボード５５と無線送信部３２とを備えて構成される。キーボード５５はプレーヤ４０及びテレビジョン受像機４１を操作する複数のキーを含み、各キーにコマンドが割り当てられている。キーボード５５のあるキーが押されたとき、当該押されたキーに対応するコマンドを無線送信部３２に送信し、無線送信部３２は受信したコマンドを無線送受信部２４に送信する。コマンドには、プレーヤ４０の電源のオン・オフ、テレビジョン受像機４１の電源のオン・オフ、ＢＤドライブ１０の再生・ストップ・早送り、画面の明るさの変更などの種類のコマンドがある。【００１０】
ここで、無線送信部３０，３２、無線送受信部１７及び無線送受信部２４は、ＩＥＥＥ８０２．１５．４規格に準拠した方式で半二重通信で無線通信を行う。【００１１】
無線送受信部１７は、リモートコントローラ４２及び無線送受信部２４から送信されるコマンドを受信し、制御部５２に出力する。また、無線送受信部１７は制御部５２からコマンドの送信が指示されると、コマンドを無線送受信部２４に送信する。無線送受信部１７は、コマンドを受信したとき、送信元にアクノリッジ信号を返す。また、無線送受信部１７はコマンドを送信したとき、アクノリッジ信号が一定時間内に受信できなかったときは、再度コマンドを送信する、いわゆるリトライをアクノリッジ信号が受信できるまで、もしくは一定時間実施する。【００１２】
電源スイッチ１５は、ユーザが操作できるスイッチであり、電源スイッチ１５が押された場合、押された情報を制御部５２に出力する。タイマー回路１６は内部に時計回路を持ち、一定時刻になると一定時刻になったことを制御部５２に通知する。電源回路１３は、ＢＤドライブ１０、デコーダ１１及びＷｉｒｅｌｅｓｓＨＤ送受信部５０に電源を供給する。電源回路１３は、制御部５２から起動を指示されたとき、電源を供給し、停止を指示されたら電源の供給を中止する。【００１３】
図８は図７の無線映像再生システムのプレーヤ４０の制御部５２により実行される通信制御処理を示すフローチャートである。【００１４】
図８において、制御部５２は、タイマー回路１６から一定時刻になった通知を受け、電源スイッチ１５から当該電源スイッチ１５が押された通知を受け、無線送受信部１７からコマンドの通知を受ける。これらを処理するため、ステップ１２０で、タイマー回路１６からの通知の有無を判断し、ステップ１２１で電源スイッチ１５からの通知を判断し、ステップ１２２でコマンドの通知を判断する。また、制御部５２は、現在のプレーヤ４０の電源状態を保持する。プレーヤ４０の電源状態はオン及びオフの状態があり、電源回路１３を起動したらオン、電源回路１３を停止したらオフとなる。【００１５】
制御部５２は、まず、タイマー回路１６からの通知があるかどうか判断する（ステップ１２０）。通知がある場合には、電源状態を確認する（ステップ１２３）。電源状態がオフであれば、電源回路１３を起動する（ステップ１２４）。電源状態がオンの場合、並びに、電源状態がオフの場合で電源回路１３を起動した後、電源オンコマンドの送信指示を無線送受信部１７に出力し、ＢＤドライブ１０にＢＤの再生をさせる（ステップ１２５）。【００１６】
タイマー回路１６からの通知がない場合（ステップ１２０でＮＯ）、電源スイッチ１５からの通知があるかどうか判断する（ステップ１２１）。電源スイッチ１５からの通知がある場合、電源状態を確認する（ステップ１２６）。電源状態がオンの場合、電源オフコマンドを無線送受信部１７に送信を指示し、電源回路１３を停止する（ステップ１２７）。一方、電源状態がオフの場合、電源回路１３を起動し、電源オンコマンドの送信指示を無線送受信部１７に出力する（ステップ１２８）。【００１７】
電源スイッチ１５からの通知がない場合（ステップ１２１でＮＯ）、無線送受信部１７からのコマンド通知の有無を判断する（ステップ１２２）。コマンドが通知された場合、電源状態を確認する（ステップ１２９）。電源状態がオフの場合、電源回路１３を起動する（ステップ１３０）。電源状態がオンの場合、並びに、電源状態がオフであって電源回路１３を起動した後、コマンドがプレーヤ４０に対するコマンドか、テレビジョン受像機４１に対するコマンドかを判断する（ステップ１３１）。リモートコントローラ４２のキーボード５４には、プレーヤ４０を操作するコマンド用キーと、テレビジョン受像機４１を操作するコマンド用キーが混在している。また、無線送受信部２４からプレーヤ４０のコマンドを受信することもある。プレーヤ４０に対するコマンドであれば、当該コマンドの処理を実行する（ステップ１３２）。一方、テレビジョン受像機４１に対するコマンドであれば、無線送受信部１７にコマンドの送信を指示する（ステップ１３３）。【００１８】
無線送受信部２４は、リモートコントローラ４３及び無線送受信部１７からのコマンドを受信すると、受信したコマンドを制御部５３に出力する。制御部５３は受信したコマンドに対応する処理を実行する。また、制御部５３は、現在のテレビジョン受像機４１の電源状態を保持する。電源状態はオン及びオフの状態があり、電源回路２３を起動したらオンとなり、電源回路２３を停止したらオフとなる。電源回路２３は、ＷｉｒｅｌｅｓｓＨＤ送受信部５１及びディスプレイパネル２１に電源を供給する。電源回路２３は、制御部５３から起動を指示されたとき電源を供給し、停止を指示されたら電源の供給を中止する。【００１９】
図９は図７の無線映像再生システムのテレビジョン受像機４１の制御部５３により実行される通信制御処理を示すフローチャートである。【００２０】
図９において、制御部５３は、無線送受信部２４からコマンドの通知を受ける。これを処理するため、ステップ１４０で、無線送受信部２４からのコマンドの通知の有無を確認する。コマンドを通知された場合、電源状態を確認する（ステップ１４１）。電源状態がオフの場合電源回路２３を起動する（ステップ１４２）。一方、電源状態がオンの場合、並びに、電源状態がオフであって電源回路２３を起動した後、コマンドがプレーヤ４０に対するコマンドか、テレビジョン受像機４１に対するコマンドかを判断する（ステップ１４３）。リモートコントローラ４３のキーボード５２には、プレーヤ４０を操作するコマンド用キーと、テレビジョン受像機４１を操作するコマンド用キーが混在している。テレビジョン受像機４１に対するコマンドであれば、当該コマンドの処理を実行する（ステップ１４５）。一方、プレーヤ４０に対するコマンドであれば、無線送受信部２４にコマンドの送信を指示する（ステップ１４４）。【００２１】
図１０は図７の無線映像再生システムにおいてコマンドを用いて無線通信を行うときのシーケンス図である。【００２２】
図１０において、まず、プレーヤ４０の無線送受信部１７と、テレビジョン受像機４１の無線送受信部２４はそれぞれ受信状態２１０及び受信状態２１７にあるとする。プレーヤ４０が無線通信を行う場合は、プレーヤ４０の無線送受信部１７はまず受信状態から送信状態２１１に遷移し、所望のコマンドが含まれるパケット２１５を送信する。送信状態では、パケットを受信することができない。無線送受信部１７はパケット送信後、受信状態２１２となりアクノリッジ信号の受信を待つ。無線送受信部２４は、受信状態２１７でパケットを受信した場合、送信状態２１８に遷移し、アクノリッジ信号のパケット２１６を送信し、送信後受信状態２１９に遷移する。無線送受信部１７は、アクノリッジ信号を受信することでパケットの送信を完了する。【００２３】
図１１は図７の無線映像再生システムにおいてテレビジョン受像機４１の無線送受信部２４がパケットを受信できなかったときのシーケンス図である。【００２４】
図１１において、無線送受信部１７がパケット２１５を送信し、受信状態２１２に遷移するが、無線送受信部２４がパケット２１５をなんらかの理由で受信できなかった場合、アクノリッジ信号のパケットは送信されず、依然パケット受信状態２１７を維持する。無線送受信部１７は受信状態２１２で一定時間内にアクノリッジ信号のパケットが受信できない場合は、再度パケット送信を行うため、送信状態２２０に遷移し、パケット２２１を送信し、受信状態２２２に遷移する。無線送受信部２４がパケット２２１を受信した場合、送信状態２２３に遷移し、アクノリッジ信号のパケット２２４を送信した後、受信状態２２５に遷移する。無線送受信部１７はアクノリッジ信号のパケット２２４を受信し、パケットの送信の完了とする。このようにパケットが受信できなかったときにリトライを行い、信頼性を向上させる。【００２５】
図１０及び図１１では無線送受信部１７、すなわちプレーヤ４０がコマンドを送信したときのシーケンスを説明したが、テレビジョン受像機４１、すなわち無線送受信部２４がコマンドを送信する場合も同様のシーケンスとなる。
【先行技術文献】
【特許文献】
【００２６】
【特許文献１】特開２００９−１２４４５５号公報
【特許文献２】特開平３−２０８４３１号公報
【特許文献３】米国特許第４８９７８３１号明細書
【特許文献４】米国特許第５１２１３８２号明細書
【特許文献５】米国特許出願公開第２０１０／０１４２４１８号明細書
【非特許文献】
【００２７】
【非特許文献１】IEEE Standard for Information technology - Telecommunications and information exchange between systems - Local and metropolitan area networks - Specific requirement Part 15.4: Wireless Medium Access Control and Physical Layer Specifications for Low-Rate Wireless Personal Area Networks (IEEE 802.15.4), 2006.
【発明の概要】
【発明が解決しようとする課題】
【００２８】
図１２は図７の無線映像再生システムにおいてプレーヤ４０の無線送受信部１７とテレビジョン受像機４１の無線送受信部２４とが実質的ほぼ同時に送信を開始したときのシーケンス図である。【００２９】
一般に、無線送受信部１７と無線送受信部２４は、ほぼ同時に送信を開始する場合がある。例えば、ユーザがリモートコントローラ４３を用いてプレーヤ４０を操作するとほぼ同時にタイマー回路１６が起動したような場合である。この場合、デッドロックが発生し、送信されるパケットは双方受信できない場合がある。この場合のシーケンスを図１２に示す。【００３０】
図１２において、無線送受信部１７と無線送受信部２４はそれぞれ受信状態２４０と受信状態２４４にある。制御部からのコマンド送信の指示がほぼ同時にあった場合、無線送受信部１７は送信状態２４１−１に遷移し、コマンドが含まれるパケット２４３−１を送信し、アクノリッジ信号待ちのための受信状態２４２−１に遷移する。一方、無線送受信部２４も送信状態２４５−１に遷移し、コマンドが含まれるパケット２４７−１を送信し、受信待機状態２４６−１に遷移する。この場合、パケット２４３−１は、無線送受信部２４が送信状態２４５−１にあるときに到着するので、無線送受信部２４はこれを受信することができない。従って、一定時間内にアクノリッジ信号が受信できない無線送受信部１７は再度送信状態２４１−２に遷移し、パケット２４３−２を送信し、受信状態２４２−２に遷移するリトライを行う。また、パケット２４７−１は、無線送受信部１７が送信状態２４１−２にあるときに到着するので、無線送受信部１７はこれを受信することができず、無線送受信部２４は再度送信状態２４５−２に遷移し、パケット２４７−２に送信し、受信状態２４６−２に遷移するリトライを行う。【００３１】
このように、無線送受信部１７と無線送受信部２４がそれぞれリトライを繰り返し、いずれのパケットも相手に到着することがないという問題点があった。このように、両方がコマンドを互いに送信した場合、パケットが互いに到着しないことによって、コマンドを用いた通信を行うことができない。【００３２】
本発明の目的は以上の問題点を解決し、複数の無線通信端末装置を備えた無線通信システムにおいて、２つの無線通信端末装置が互いに同時にコマンドを送信した場合であっても、互いに無線通信を行うことができる無線通信システムとそのための無線通信端末装置を提供することにある。
【課題を解決するための手段】
【００３３】
第１の発明に係る無線通信システムは、
第１の無線通信装置と第２の無線通信装置とを含む少なくとも複数の無線通信端末装置を備えた無線通信システムであって、
前記第１の無線通信装置は、
第１の無線通信路を介してデジタルデータを半二重通信で送受信する第１の無線通信部と、
第２の無線通信路を介してデジタルデータを全二重通信で送受信する第２の無線通信部と、
前記第１の無線通信部及び前記第２の無線通信部に対してデジタルデータの送信制御を行う第１の制御部とを備え、
前記第２の無線通信装置は、
前記第１の無線通信路を介して前記第１の無線通信部とデジタルデータを半二重通信で送受信する第３の無線通信部と、
前記第２の無線通信路を介して前記第２の無線通信部とデジタルデータを全二重通信で送受信する第４の無線通信部とを備え、
前記第１の制御部は、前記第２の無線通信装置に対してデジタルデータを送信するように指示するときに、前記第１の無線通信部及び前記第２の無線通信部の両方から当該同一のデジタルデータを送信するように前記第１の無線通信部及び第２の無線通信部を制御することを特徴とする。【００３４】
上記第１の発明に係る無線通信システムにおいて、
前記第２の無線通信装置はさらに、前記第３の無線通信部及び前記第４の通信部に対してデジタルデータの受信制御を行う第２の制御部を備え、
前記第１の制御部は、前記第１の無線通信部及び前記第２の無線通信部の両方から同一のデジタルデータを送信するように指示するときに、当該同一のデジタルデータに同一のフレーム番号を付して送信するように指示し、
前記第２の制御部は、前記第３の無線通信部及び前記第４の無線通信部により同一のフレーム番号が付されたデジタルデータを受信した場合、一方のデジタルデータを破棄するように制御することを特徴とする。【００３５】
第２の発明に係る無線通信装置は、
第１の無線通信路を介してデジタルデータを半二重通信で送受信する第１の無線通信部と、
第２の無線通信路を介してデジタルデータを全二重通信で送受信する第２の無線通信部と、
前記第１の無線通信部及び前記第２の無線通信部に対してデジタルデータの送受信制御を行う第１の制御部とを備えた第１の無線通信装置である無線通信装置であって、
前記第１の制御部は、
前記第１の無線通信部と前記第１の無線通信路を介してデジタルデータを半二重通信で送受信する第３の無線通信部と、前記第２の無線通信部と前記第２の無線通信路を介してデジタルデータを全二重通信で送受信する第４の無線通信部とを備えた第２の無線通信装置に対して、デジタルデータを送信するように指示するときに、前記第１の無線通信部及び第２の無線通信部の両方からデジタルデータを前記第２の無線通信装置に送信するように制御することを特徴とする。【００３６】
上記第２の発明に係る無線通信装置において、前記第１の制御部は、前記第１の無線通信部及び前記第２の無線通信部の両方から同一のデジタルデータを送信するように指示するときに、当該同一のデジタルデータに同一のフレーム番号を付して送信するように指示することを特徴とする。【００３７】
第３の発明に係る無線通信装置は、
上記第２の発明に係る無線通信装置である第１の無線通信装置と無線通信を行う第２の無線通信装置である無線通信装置であって、
前記第２の無線通信装置は、
前記第１の無線通信路を介して第１の無線通信部とデジタルデータを半二重通信で送受信する第３の無線通信部と、
前記第２の無線通信路を介して前記第２の無線通信部とデジタルデータを全二重通信で送受信する第４の無線通信部と、
前記第３の無線通信部及び前記第４の無線通信部に対してデジタルデータの送受信制御を行う第２の制御部とを備え、
前記第２の制御部は、前記第３の無線通信部及び前記第４の無線通信部により同一のフレーム番号が付されたデジタルデータを受信した場合、一方のデジタルデータを破棄するように制御することを特徴とする。
【発明の効果】
【００３８】
本発明に係る無線通信システムとそのための無線通信端末装置によれば、第１の制御部は、第２の無線通信装置に対してデジタルデータを送信するように指示するときに、前記第１の無線通信部及び前記第２の無線通信部の両方から当該同一のデジタルデータを送信するように前記第１の無線通信部及び第２の無線通信部を制御する。それ故、無線通信装置の双方が同時に相手にコマンドを通知しようとしたときであっても、互いに無線通信を行うことができ、信頼性の高い無線通信が可能となる。
【図面の簡単な説明】
【００３９】
【図１】本発明の実施形態に係る無線映像再生システムの構成を示すブロック図である。
【図２】図１の無線映像再生システムのプレーヤ１の制御部１４により実行される通信制御処理を示すフローチャートである。
【図３】図１の無線映像再生システムのテレビジョン受像機２の制御部２２により実行される通信制御処理を示すフローチャートである。
【図４】図１の無線映像再生システムにおいてプレーヤ１及びテレビジョン受像機２が両方とも電源オフの状態でコマンドを用いて無線通信を行うときのシーケンス図である。
【図５】図１の無線映像再生システムにおいて受信側のテレビジョン受像機２が電源オンの状態でコマンドを用いて通信を行うときのシーケンス図である。
【図６】図１の無線映像再生システムにおいてプレーヤ１及びテレビジョン受像機２が両方とも電源オフの状態で実質的にほぼ同時にコマンドを送信して通信を行うときのシーケンス図である。
【図７】従来技術に係る無線映像再生システムの構成を示すブロック図である。
【図８】図７の無線映像再生システムのプレーヤ４０の制御部５２により実行される通信制御処理を示すフローチャートである。
【図９】図７の無線映像再生システムのテレビジョン受像機４１の制御部５３により実行される通信制御処理を示すフローチャートである。
【図１０】図７の無線映像再生システムにおいてコマンドを用いて無線通信を行うときのシーケンス図である。
【図１１】図７の無線映像再生システムにおいてテレビジョン受像機４１の無線送受信部２４がパケットを受信できなかったときのシーケンス図である。
【図１２】図７の無線映像再生システムにおいてプレーヤ４０の無線送受信部１７とテレビジョン受像機４１の無線送受信部２４とが実質的にほぼ同時に送信を開始したときのシーケンス図である。
【発明を実施するための形態】
【００４０】
図１は本発明の実施形態に係る無線映像再生システムの構成を示すブロック図である。図１の無線映像再生システムは、プレーヤ１とテレビジョン受像機２とを備えて構成され、プレーヤ１にはリモートコントローラ３が設けられ、テレビジョン受像機２にはリモートコントローラ４が設けられる。
【００４１】
図１のプレーヤ１においてＢＤディスクの再生を行う場合、ＢＤドライブ１０でＢＤディスクの再生を行い、再生されたストリームはデコーダ１１に出力される。デコーダ１１では入力されたストリームを映像信号に変換し、ＷｉｒｅｌｅｓｓＨＤ送受信部１２に出力する。ＷｉｒｅｌｅｓｓＨＤ送受信部１２は入力された映像信号を、当該映像信号を含む無線信号に符号化してテレビジョン受像機２のＷｉｒｅｌｅｓｓＨＤ送受信部２０に送信する。なお、ＷｉｒｅｌｅｓｓＨＤ送受信部１２及び２０は、ＷｉｒｅｌｅｓｓＨＤ規格に準拠した方式で全二重通信で無線通信を行う。
【００４２】
テレビジョン受像機２のＷｉｒｅｌｅｓｓＨＤ送受信部２０は受信した無線信号から映像信号を復号化してディスプレイパネル２１に出力し、ディスプレイパネル２１は映像信号の画像を表示する。ＢＤドライブ１０とデコーダ１１及びＷｉｒｅｌｅｓｓＨＤ送受信部１２は電源回路１３によって電源を供給されており、制御部１４によって適宜、電源がオン又はオフされる。
【００４３】
また、ＷｉｒｅｌｅｓｓＨＤ送受信部２０とディスプレイパネル２１は電源回路２３によって電源を供給されており、制御部２２によって適宜、その電源がオン又はオフされる。電源回路１３及び電源回路２３によって電源を供給される部分以外は、図示されない電源によって常時電源を供給される。リモートコントローラ３は、キーボード３１と無線送信部３０とを備えて構成される。キーボードはプレーヤ１及びテレビジョン受像機２を操作する複数のキーを含み、各キーにコマンドが割り当てられている。キーボード３１のあるキーが押されたとき、押されたキーに対応するコマンドを無線送信部３０に送信し、無線送信部３０は受信したコマンドを無線送受信部１７に送信する。これらのコマンドには、プレーヤ１の電源のオン・オフ、テレビジョン受像機２の電源のオン・オフ、ＢＤドライブ１０の再生・ストップ・早送りなどの種類がある。リモートコントローラ４は、キーボード３３と無線送信部３２とを備えて構成される。キーボード３３はプレーヤ１及びテレビジョン受像機２を操作する複数のキーを含み、各キーにコマンドが割り当てられている。キーボード３３のあるキーが押されたとき、押されたキーに対応するコマンドを無線送信部３２に送信し、無線送信部３２はコマンドを無線送受信部２４に送信する。これらのコマンドには、プレーヤ１の電源のオン・オフ、テレビジョン受像機２の電源のオン・オフ、ＢＤドライブ１０の再生・ストップ・早送り、画面の明るさの変更などの種類のコマンドがある。
【００４４】
ＷｉｒｅｌｅｓｓＨＤ送受信部１２は、映像信号を含む無線信号をＷｉｒｅｌｅｓｓＨＤ送受信部２０に送信する一方、ＷｉｒｅｌｅｓｓＨＤ送受信部２０との間でコマンドを含む無線信号を送信あるいは受信する。ＷｉｒｅｌｅｓｓＨＤ送受信部１２におけるコマンドの送信指示は制御部１４によって行われ、また、ＷｉｒｅｌｅｓｓＨＤ送受信部１２によりコマンドを受信したときは、そのコマンドの受信を制御部１４に通知する。なお、無線送信部３０，３２、無線送受信部１７及び無線送受信部２４は、ＩＥＥＥ８０２．１５．４規格に準拠した方式で半二重通信で無線通信を行う。
【００４５】
無線送受信部１７は、リモートコントローラ３及び無線送受信部２４から送信されるコマンドを受信して制御部１４に出力する。また、無線送受信部１７は、制御部１４からコマンドの送信を指示されると、そのコマンドを含む無線信号を無線送受信部２４に送信する。無線送受信部１７は、コマンドを含む無線信号を受信したとき、送信元にアクノリッジ信号を含む無線信号を返す。また、コマンドを送信したとき、アクノリッジ信号が一定時間内に受信できなかったときは、再度コマンドを送信する、いわゆるリトライをアクノリッジ信号が受信できるまで実施する。なお、無線送受信部１７，２４間の無線通信路（又は無線通信回線）と、ＷｉｒｅｌｅｓｓＨＤ送受信部１２，２０間の無線通信路（又は無線通信回線）とは、互いに異なる例えば周波数帯又はチャンネルを有する異なる無線通信路である。
【００４６】
電源スイッチ１５はユーザが操作できるスイッチであり、電源スイッチ１５が押された場合、押された情報を制御部１４に出力する。タイマー回路１６は内部に時計回路を持ち、一定時刻になると一定時刻になったことを制御部１４に通知する。電源回路１３は、ＢＤドライブ１０、デコーダ１１及びＷｉｒｅｌｅｓｓＨＤ送受信部１２に電源を供給する。電源回路１３は、制御部１４から起動を指示されたとき電源を供給し、停止を指示されたら電源の供給を中止する。
【００４７】
図２は図１の無線映像再生システムのプレーヤ１の制御部１４により実行される通信制御処理を示すフローチャートである。
【００４８】
図２において、制御部１４は、タイマー回路１６から一定時刻になった通知を受け、電源スイッチ１５からスイッチが押された通知を受け、無線送受信部１７からコマンドの通知を受け、さらに、ＷｉｒｅｌｅｓｓＨＤ送受信部１２からコマンドの通知を受ける。これらのコマンドはシーケンス番号を含む。シーケンス番号は、コマンドごとに増加する番号である。制御部１４は、コマンドを送信するときに付加するシーケンス番号を送信シーケンス番号として制御部１４内のメモリ１４ｍに保存し、コマンドを送信する場合は、この送信シーケンス番号をコマンドに付加して送信する。また、制御部１４は、最後に通知されたコマンドに含まれるシーケンス番号を受信シーケンス番号として制御部１４内のメモリ１４ｍに保存する。
【００４９】
これらを処理するため、図２のステップ１００で、タイマー回路１６からの通知の有無を判断し、ステップ１０４で電源スイッチ１５からの通知を判断し、ステップ１０８でコマンドの通知を判断する。コマンドは無線送受信部１７及びＷｉｒｅｌｅｓｓＨＤ送受信部１２から通知されるが、区別はない。また、制御部１４は、現在のプレーヤ１の電源状態を保持する。電源状態はオン及びオフの状態があり、電源回路１３を起動したらオン、電源回路１３を停止したらオフとなる。
【００５０】
図２において、制御部１４は、まずタイマー回路１６からの通知があるかどうか判断する（ステップ１００）。通知がある場合には、電源状態を確認する（ステップ１０１）。電源状態がオフであれば電源回路１３を起動する（ステップ１０２）。電源状態がオンの場合、並びに電源状態がオフの場合で電源回路１３を起動した後、電源オンコマンドの送信指示を無線送受信部１７に出力し、また電源オンコマンドの送信指示をＷｉｒｅｌｅｓｓＨＤ送受信部１２に出力し、メモリ１４ｍ内の送信シーケンス番号をインクリメントし、ＢＤドライブ１０にＢＤの再生をさせる（ステップ１０３）。また、無線送受信部１７はコマンドの送信指示が入力されたとき、テレビジョン受像機４１の無線送受信部２４に、送信指示されたコマンドを送信する。また、ＷｉｒｅｌｅｓｓＨＤ送受信部１２はコマンドの送信指示が入力されたとき、テレビジョン受像機２の無線送受信部２０に送信指示されたコマンドを送信する。無線送受信部１７が送信するコマンドとＷｉｒｅｌｅｓｓＨＤ送受信部１２が送信するコマンドのシーケンス番号は同一である。
【００５１】
タイマー回路１６からの通知がない場合（ステップ１００でＮＯ）、電源スイッチ１５からの通知があるかどうか判断する（ステップ１０４）。電源スイッチ１５からの通知がある場合、電源状態を確認する（ステップ１０５）。電源状態がオンの場合、電源オフコマンドを無線送受信部１７に送信指示し、電源オフコマンドをＷｉｒｅｌｅｓｓＨＤ送受信部１２に指示し、メモリ１４ｍ内の送信シーケンス番号をインクリメントし、電源回路１３を停止する（ステップ１０７）。電源状態がオフの場合、電源回路１３を起動し、電源オンコマンドの送信指示を無線送受信部１７に出力し、電源オンコマンドをＷｉｒｅｌｅｓｓＨＤ送受信部１２から送信し、メモリ１４ｍ内の送信シーケンス番号をインクリメントする（ステップ１０６）。
【００５２】
電源スイッチ１６からの通知がない場合（ステップ１０４でＮＯ）、無線送受信部１７及びＷｉｒｅｌｅｓｓＨＤ送受信部１２からのコマンド通知の有無を判断する（ステップ１０８）。コマンドが通知された場合、コマンドに含まれるシーケンス番号を確認する（ステップ１０９）。シーケンス番号がメモリ１４ｍに保存してある受信シーケンス番号と同一であれば、なにも実行しない。すなわち、当該コマンド（受信したデジタルデータ）を破棄する。一方、シーケンス番号がメモリ１４ｍに保存してある受信シーケンス番号と異なれば（ステップ１０９でＹＥＳ）、受信シーケンス番号をメモリ１４ｍに保存し（ステップ１１０）、電源状態を確認する（ステップ１１１）。電源状態がオフの場合、電源回路１３を起動する（ステップ１１２）。電源状態がオンの場合、並びに電源回路１３を起動した後、コマンドがプレーヤ１に対するコマンドか、テレビジョン受像機２に対するコマンドかを判断する（ステップ１１３）。リモートコントローラ３のキーボード３１は、プレーヤ１を操作するキーと、テレビジョン受像機２を操作するコマンドのためのキーが混在している。プレーヤ２に対するコマンドであればコマンドの処理を実行する（ステップ１１５）。テレビジョン受像機２に対するコマンドであれば、無線送受信部１７に対応するコマンドの送信を指示し、ＷｉｒｅｌｅｓｓＨＤ送受信部１２に当該コマンドの送信を指示し、メモリ１４ｍ内の送信シーケンス番号をインクリメントする。
【００５３】
次に、図１を参照して、テレビジョン受像機２の動作について説明する。
【００５４】
図１の無線送受信部２４は、リモートコントローラ４及び無線送受信部１７からのコマンドを受信すると受信したコマンドを制御部２２に出力する。制御部２２は、コマンドに対応する処理を実行する。また、制御部２２は、現在のテレビジョン受像機２の電源状態を保持する。電源状態はオン及びオフの状態があり、電源回路２３を起動したらオン、電源回路２３を停止したらオフとなる。電源回路２３は、ＷｉｒｅｌｅｓｓＨＤ送受信部２０及びディスプレイパネル２１に電源を供給する。電源回路２３は、制脚部２２から起動を指示されたとき電源を供給し、停止を指示されたら電源の供給を中止する。
【００５５】
ＷｉｒｅｌｅｓｓＨＤ送受信部２０は、映像信号を含む無線信号をＷｉｒｅｌｅｓｓＨＤ送受信部１２から受信する一方、ＷｉｒｅｌｅｓｓＨＤ送受信部１２との間でコマンドを含む無線信号を送信あるいは受信する。コマンドの送信の指示は制御部２２によって行われ、また、ＷｉｒｅｌｅｓｓＨＤ送受信部２０がコマンドを受信したときは、そのコマンドの受信を制御部２２に通知する。
【００５６】
図３は図１の無線映像再生システムのテレビジョン受像機２の制御部２２により実行される通信制御処理を示すフローチャートである。
【００５７】
図３において、制御部２２は、無線送受信部２４とＷｉｒｅｌｅｓｓＨＤ送受信部２０からコマンドの通知を受ける。これを処理するため、ステップ１２０で、無線送受信部２４あるいはＷｉｒｅｌｅｓｓＨＤ送受信部２０からのコマンドの通知の有無を確認する。コマンドを通知された場合、コマンドに含まれるシーケンス番号を確認する（ステップ１２１）。シーケンス番号がメモリ２２ｍに保存してある受信シーケンス番号と同一であれば、なにも実行しない。すなわち、受信されたコマンド（受信したデジタルデータ）を破棄する。一方、シーケンス番号がメモリ２２ｍに保存してある受信シーケンス番号と異なれば（ステップ１２１でＹＥＳ）、受信シーケンス番号をメモリ２２ｍに保存し（ステップ１２２）、電源状態を確認する（ステップ１２３）。電源状態がオフの場合電源回路２３を起動する（ステップ１２４）。電源状態がオンの場合、並びに電源回路２３を起動した後、コマンドがプレーヤ１に対するコマンドか、テレビジョン受像機２に対するコマンドかを判断する（ステップ１２５）。リモートコントローラ４のキーボード３１には、プレーヤ１を操作するキーと、テレビジョン受像機２を操作するコマンドのためのキーが混在している。テレビジョン受像機２に対するコマンドであれば、対応するコマンドの処理を実行する（ステップ１２７）。プレーヤ１に対するコマンドであれば、無線送受信部２４にコマンドの送信を指示し、ＷｉｒｅｌｅｓｓＨＤ送受信部２０にコマンドの送信を指示し、メモリ２２ｍ内の送信シーケンス番号をインクリメントする（ステップ１２６）。
【００５８】
図４は図１の無線映像再生システムにおいてプレーヤ１及びテレビジョン受像機２が両方とも電源オフの状態でコマンドを用いて無線通信を行うときのシーケンス図である。
【００５９】
図４のシーケンスの当初において、プレーヤ１とテレビジョン受像機２が両方とも電源オフの状態では、無線送受信部である無線送受信部１７と無線送受信部２４はそれぞれ受信状態３００及び受信状態３０１にある。また、制御部１４及び制御部２２の電源状態がそれぞれオフ状態３０２とオフ状態３０３にあり、ＷｉｒｅｌｅｓｓＨＤ送受信部１２とＷｉｒｅｌｅｓｓＨＤ送受信部２０には電源が供給されていない。
【００６０】
図４において、プレーヤ１が無線通信を行う場合は、制御部１４はＷｉｒｅｌｅｓｓＨＤ送受信部１２に電源を供給するため電源回路１３を起動する（３０４）。電源回路１３は電源を供給し、電源状態がオン状態３０５になり、ＷｉｒｅｌｅｓｓＨＤ送受信部１２に電源が供給される。次いで、制御部１４は、ＷｉｒｅｌｅｓｓＨＤ送受信部１２に、ＷｉｒｅｌｅｓｓＨＤ送受信部２０へのコマンドの送信を指示する（３０６）。ＷｉｒｅｌｅｓｓＨＤ送受信部１２は、コマンドの送信を試みるが（３０７）、ＷｉｒｅｌｅｓｓＨＤ送受信部２０の電源が供給されていないので失敗する。また一方、制御部１４は無線送受信部１７に、無線送受信部２０へのコマンドの送信を指示する（３０８）。無線送受信部１７が、送信状態３０９に遷移し、パケット３１０を送信するとともに、アクノリッジ信号の受信のため、受信状態３１１に遷移する。一方、無線送受信部２４はパケット３１０を受信すると送信状態３１２に遷移し、アクノリッジ信号３１３を送信するとともに、制御部２２にパケットの受信を通知する（３１４）。そして、無線送受信部２４は受信状態３１５に遷移する。一方、無線送受信部１７はアクノリッジ信号３１３を受信することでパケットの送信を完了する。
【００６１】
以上説明したように、受信側のＷｉｒｅｌｅｓｓＨＤ送受信部２０の電源状態がオフであっても無線送受信部１７と無線送受信部２４とでパケット通信を行うことで所望のコマンドを受信側に通知することができる。
【００６２】
図５は図１の無線映像再生システムにおいて受信側のテレビジョン受像機２が電源オンの状態でコマンドを用いて通信を行うときのシーケンス図である。このシーケンスは概略図４のシーケンスと同様である。以下、相違点について説明する。
【００６３】
図５において、ＷｉｒｅｌｅｓｓＨＤ送受信部２０の電源状態はオン状態３２０である。ＷｉｒｅｌｅｓｓＨＤ送受信部１２はコマンドの送信指示３０６を受け、コマンド３２１をＷｉｒｅｌｅｓｓＨＤ送受信部２０に送信する。ここで、ＷｉｒｅｌｅｓｓＨＤ送受信部２０の電源状態がオンであるので、ＷｉｒｅｌｅｓｓＨＤ送受信部２０へのコマンド送信が成功する。ＷｉｒｅｌｅｓｓＨＤ送受信部２０は、パケット３２１を受信したとき、制御部２２にパケット通知（３２２）を行う。従って、制御部２２は、ＷｉｒｅｌｅｓｓＨＤ送受信部２０及び無線送受信部２４の両方からコマンドの通知をされる。この場合、制御部２２は、各パケットに含まれるシーケンス番号を調べ、最初に通知されたコマンドの処理を実行し、同一のシーケンス番号のために、後で通知されたコマンドの処理を実行しない。すなわち、後で通知されたコマンド（受信したデジタルデータ）を破棄する。そのため、コマンドの通知を受け、コマンドの処理を実行したときにシーケンス番号を受信シーケンス番号としてメモリ２２ｍに保存し、後で同一シーケンス番号のコマンドが通知されたときにチェックを行い、同一のシーケンス番号であれば処理を実行しない。すなわち、そのコマンド（受信したデジタルデータ）を破棄する。
【００６４】
図６は図１の無線映像再生システムにおいてプレーヤ１及びテレビジョン受像機２が両方とも電源オフの状態で実質的にほぼ同時にコマンドを送信して通信を行うときのシーケンス図である。図６の当初において、ＷｉｒｅｌｅｓｓＨＤ送受信部１２及びＷｉｒｅｌｅｓｓＨＤ送受信部２０はそれぞれ電源状態がオフ状態３２０とオン状態３２１とする。また、無線送受信部１７及び無線送受信部２４は受信状態３２２と受信状態３２３とする。
【００６５】
図６において、制御部１４は、コマンドを送信する際にまず電源状態をオンにし（３２４）、次いで、ＷｉｒｅｌｅｓｓＨＤ送受信部１２にコマンドの送信を指示し（３２５）、そして無線送受信部１７にコマンドの送信を指示する（３２６）。ＷｉｒｅｌｅｓｓＨＤ送受信部１２は、オン状態３２７になり、次いで、コマンド３２８をＷｉｒｅｌｅｓｓＨＤ送受信部２０に送信する。ＷｉｒｅｌｅｓｓＨＤ送受信部２０はコマンド３２８を受信すると、そのコマンドを制御部１４に通知する（３２９）。一方、制御部２２も実質的にほぼ同じころにコマンドの送信を行う。制御部２２は、コマンドを送信する際にまず電源状態をオンにしに（３３０）、次いで、ＷｉｒｅｌｅｓｓＨＤ送受信部２０にコマンドの送信を指示し（３３１）、そして、無線送受信部２０にコマンドの送信を指示する（３３２）。ＷｉｒｅｌｅｓｓＨＤ送受信部２０は、オン状態３３３になり、次いで、コマンド３３４をＷｉｒｅｌｅｓｓＨＤ送受信部１２に送信する。ＷｉｒｅｌｅｓｓＨＤ送受信部１２はコマンド３３４を受信すると、そのコマンドを制御部１４に通知する（３３５）。
【００６６】
一方、コマンドの送信が通知された無線送受信部１７は送信状態３３６に遷移し、パケット３３７を無線送受信部２４に送信し、受信状態３３８に遷移する。一方、実質的にほぼ同じころに無線送受信部２４もまた送信状態３３９に遷移し、パケット３４０を送信し受信状態３４１に遷移する。パケット３３７は無線送受信部２４が送信状態３３９にあるときに到着するため、受信することができない。そのため、無線送受信部１７は受信状態３３８にあるときにアクノリッジ信号を受信できず、リトライのため送信状態３４２に遷移しパケット３４３を送信し受信状態３４４に遷移する。一方、パケット３４０は無線送受信部１７が送信状態３４２にあるときに到着することができず、受信することができない。そのため、無線送受信部２４は受信状態３４１にあるときにアクノリッジ信号を受信できずリトライのため、送信状態３４５に遷移しパケット３４６を送信し受信状態３４７に遷移する。このように、無線送受信部１７及び無線送受信部２４は、一定回数リトライを繰り返す。しかしながら、ＷｉｒｅｌｅｓｓＨＤ送受信部１２とＷｉｒｅｌｅｓｓＨＤ送受信部２０の間でコマンドが送受信できる。このように、電源状態によらずまた、送信タイミングがほぼ同時であってもプレーヤ１とテレビジョン受像機２の間でコマンドをやりとりすることが可能となる。
【００６７】
図４及び図５ではプレーヤ１がコマンドを送信したときのシーケンスについて説明したが、テレビジョン受像機２がコマンドを送信する場合も同様のシーケンスとなる。
【００６８】
以上の実施形態において、プレーヤ１とテレビジョン受像機２とを備えた無線映像再生システムについて説明したが、本発明はこれに限らず、プレーヤ１とテレビジョン受像機２は種々の無線通信端末装置を備えた電子機器、もしくは電子機器を備えた無線通信端末装置であってもよく、少なくとも複数の無線通信装置間でデジタルデータを送受信する無線通信システムで構成してもよい。また、テレビジョン受像機２は、例えば表示機能のみを有するディスプレイパネル装置であってもよい。
【産業上の利用可能性】
【００６９】
以上詳述したように、本発明に係る無線通信システムとそのための無線通信端末装置によれば、第１の制御部は、第２の無線通信装置に対してデジタルデータを送信するように指示するときに、前記第１の無線通信部及び前記第２の無線通信部の両方から当該同一のデジタルデータを送信するように前記第１の無線通信部及び第２の無線通信部を制御する。それ故、無線通信装置の双方が同時に相手にコマンドを通知しようとしたときであっても、互いに無線通信を行うことができ、信頼性の高い無線通信が可能となる。【００７０】
本発明は、テレビジョン受像機やプレーヤなどの機器間で無線通信を行う機器に利用でき、特に、同時に無線通信コマンドが発生する機器に好適である。
【符号の説明】
【００７１】
１…プレーヤ、
２…テレビジョン受像機、
３…リモートコントローラ、
４…リモートコントローラ、
１０…ＢＤドライブ、
１１…デコーダ、
１２…ＷｉｒｅｌｅｓｓＨＤ送受信部、
１３…電源、
１４…制御部、
１５…電源スイッチ、
１６…タイマー回路、
１７…無線送受信部、
２０…ＷｉｒｅｌｅｓｓＨＤ送受信部、
２１…ディスプレイパネル、
２２…制御部、
２３…電源、
２４…無線送受信部、
３０…無線送信部、
３１…キーボード、
３２…無線送信部、
３３…キーボード。
【図１】
2012026109.tif 000003
【図２】
2012026109.tif 000004
【図３】
2012026109.tif 000005
【図４】
2012026109.tif 000006
【図５】
2012026109.tif 000007
【図６】
2012026109.tif 000008
【図７】
2012026109.tif 000009
【図８】
2012026109.tif 000010
【図９】
2012026109.tif 000011
【図１０】
2012026109.tif 000012
【図１１】
2012026109.tif 000013
【図１２】
2012026109.tif 000014
【手続補正書】
【提出日】平成24年4月12日(2012.4.12)
【手続補正１】
【補正対象書類名】明細書
【補正対象項目名】全文
【補正方法】変更
【補正の内容】
【発明の詳細な説明】
【技術分野】
【０００１】
本発明は、少なくとも複数の無線通信端末装置を備え、無線通信路を介して半二重及び全二重で無線通信を行う無線通信システム、及び前記無線通信システムのための無線通信装置に関する。
【背景技術】
【０００２】
近年、画像データを無線信号を用いて伝送可能にするＷｉｒｅｌｅｓｓＨＤ規格のような技術が出現している。ＷｉｒｅｌｅｓｓＨＤ規格の技術を用いることで、映像装置において、画面を持つテレビジョン受像機と、ディスクを再生するプレーヤなどの装置との間で配線が不要となり、レイアウトを自由にすることが可能である。
【０００３】
また、近距離にある装置を無線通信するパーソナルエリアネットワーク（Ｐｅｒｓｏｎａｌ  Ａｒｅａ  Ｎｅｔｗｏｒｋ；以下、ＰＡＮという。）も出現している。ＰＡＮは、ヘッドフオン、心拍測定、リモートコントローラ、機器の制御など、数メーターの範囲の無線通信技術であり、テレビジョン受像機やレコーダのリモートコントローラとして使用され始められている。ＷｉｒｅｌｅｓｓＨＤ規格に準拠した方式は、高速通信が可能である反面、消費電力が大きいため、テレビジョン受像機やプレーヤをコントロールするリモートコントローラや、電源オフ時のテレビジョン受像機とプレーヤ間の通信では、ＰＡＮの一つであるＩＥＥＥ８０２．１５．４規格の技術や、従来の赤外線リモートコントローラを使うのが得策である。
【０００４】
ＩＥＥＥ８０２．１５．４規格は、送信と受信を同時に行わない半二重通信を採用している。アクノリッジ信号によるパケット到着の確認を行い、さらにパケットが到着しないときにリトライを行うことで信頼性を向上させている。
【０００５】
図７は従来技術に係る無線映像再生システムの構成を示すブロック図である。図７の無線映像再生システムは、プレーヤ４０とテレビジョン受像機４１とを備えて構成され、プレーヤ４０にはリモートコントローラ４２が設けられ、テレビジョン受像機４１にはリモートコントローラ４３が設けられる。なお、ＷｉｒｅｌｅｓｓＨＤ送受信部５０及び５１は、ＷｉｒｅｌｅｓｓＨＤ規格に準拠した方式で全二重通信で無線通信を行う。
【０００６】
図７において、ブルーレイディスク（以下、ＢＤ又はＢＤディスクという。）の再生を行う場合、ＢＤドライブ１０でＢＤディスクの再生を行い、再生されたストリームはデコーダ１１に出力される。デコーダ１１では入力されたストリームを映像信号に変換し、ＷｉｒｅｌｅｓｓＨＤ送受信部５０に出力する。ＷｉｒｅｌｅｓｓＨＤ送受信部５０は入力された映像信号を当該映像信号を含む無線信号に符号化してテレビジョン受像機４１のＷｉｒｅｌｅｓｓＨＤ送受信部５１に送信する。これに対して、ＷｉｒｅｌｅｓｓＨＤ送受信部５１は無線信号を受信して、受信した無線信号から映像信号を復号化してディスプレイパネル２１に出力し、ディスプレイパネル２１は映像信号の画像を表示する。
【０００７】
プレーヤ４０において、ＢＤドライブ１０、デコーダ１１及びＷｉｒｅｌｅｓｓＨＤ送受信部５０は電源回路１３によって電源を供給されており、適宜、制御部５２によって電源をオン又はオフにされる。また、ＷｉｒｅｌｅｓｓＨＤ送受信部５１とディスプレイパネル２１は電源回路２３によって電源を供給されており、制御部５３によって適宜、電源がオン又はオフされる。電源回路１３及び電源回路２３によって電源を供給される部分以外は、図示されない電源回路によって常時電源を供給される。
【０００８】
リモートコントローラ４２は、キーボード５４と無線送信部３０とを備えて構成される。キーボード５４はプレーヤ４０及びテレビジョン受像機４１を操作するための複数のキーを含み、各キーにコマンドが割り当てられている。キーボード５４のあるキーが押されたとき、押されたキーに対応するコマンドを無線送信部３０に送信し、無線送信部３０は受信したコマンドを無線送受信部１７に送信する。これらのコマンドには、プレーヤ４０の電源のオン・オフ、テレビジョン受像機４１の電源のオン・オフ、ＢＤドライブ１０の再生・ストップ・早送りなどの多数の種類のコマンドがある。
【０００９】
また、リモートコントローラ４３は、キーボード５５と無線送信部３２とを備えて構成される。キーボード５５はプレーヤ４０及びテレビジョン受像機４１を操作する複数のキーを含み、各キーにコマンドが割り当てられている。キーボード５５のあるキーが押されたとき、当該押されたキーに対応するコマンドを無線送信部３２に送信し、無線送信部３２は受信したコマンドを無線送受信部２４に送信する。コマンドには、プレーヤ４０の電源のオン・オフ、テレビジョン受像機４１の電源のオン・オフ、ＢＤドライブ１０の再生・ストップ・早送り、画面の明るさの変更などの種類のコマンドがある。
【００１０】
ここで、無線送信部３０，３２、無線送受信部１７及び無線送受信部２４は、ＩＥＥＥ８０２．１５．４規格に準拠した方式で半二重通信で無線通信を行う。
【００１１】
無線送受信部１７は、リモートコントローラ４２及び無線送受信部２４から送信されるコマンドを受信し、制御部５２に出力する。また、無線送受信部１７は制御部５２からコマンドの送信が指示されると、コマンドを無線送受信部２４に送信する。無線送受信部１７は、コマンドを受信したとき、送信元にアクノリッジ信号を返す。また、無線送受信部１７はコマンドを送信したとき、アクノリッジ信号が一定時間内に受信できなかったときは、再度コマンドを送信する、いわゆるリトライをアクノリッジ信号が受信できるまで、もしくは一定時間実施する。
【００１２】
電源スイッチ１５は、ユーザが操作できるスイッチであり、電源スイッチ１５が押された場合、押された情報を制御部５２に出力する。タイマー回路１６は内部に時計回路を持ち、一定時刻になると一定時刻になったことを制御部５２に通知する。電源回路１３は、ＢＤドライブ１０、デコーダ１１及びＷｉｒｅｌｅｓｓＨＤ送受信部５０に電源を供給する。電源回路１３は、制御部５２から起動を指示されたとき、電源を供給し、停止を指示されたら電源の供給を中止する。
【００１３】
図８は図７の無線映像再生システムのプレーヤ４０の制御部５２により実行される通信制御処理を示すフローチャートである。
【００１４】
図８において、制御部５２は、タイマー回路１６から一定時刻になった通知を受け、電源スイッチ１５から当該電源スイッチ１５が押された通知を受け、無線送受信部１７からコマンドの通知を受ける。これらを処理するため、ステップ１２０で、タイマー回路１６からの通知の有無を判断し、ステップ１２１で電源スイッチ１５からの通知を判断し、ステップ１２２でコマンドの通知を判断する。また、制御部５２は、現在のプレーヤ４０の電源状態を保持する。プレーヤ４０の電源状態はオン及びオフの状態があり、電源回路１３を起動したらオン、電源回路１３を停止したらオフとなる。
【００１５】
制御部５２は、まず、タイマー回路１６からの通知があるかどうか判断する（ステップ１２０）。通知がある場合には、電源状態を確認する（ステップ１２３）。電源状態がオフであれば、電源回路１３を起動する（ステップ１２４）。電源状態がオンの場合、並びに、電源状態がオフの場合で電源回路１３を起動した後、電源オンコマンドの送信指示を無線送受信部１７に出力し、ＢＤドライブ１０にＢＤの再生をさせる（ステップ１２５）。
【００１６】
タイマー回路１６からの通知がない場合（ステップ１２０でＮＯ）、電源スイッチ１５からの通知があるかどうか判断する（ステップ１２１）。電源スイッチ１５からの通知がある場合、電源状態を確認する（ステップ１２６）。電源状態がオンの場合、電源オフコマンドを無線送受信部１７に送信を指示し、電源回路１３を停止する（ステップ１２７）。一方、電源状態がオフの場合、電源回路１３を起動し、電源オンコマンドの送信指示を無線送受信部１７に出力する（ステップ１２８）。
【００１７】
電源スイッチ１５からの通知がない場合（ステップ１２１でＮＯ）、無線送受信部１７からのコマンド通知の有無を判断する（ステップ１２２）。コマンドが通知された場合、電源状態を確認する（ステップ１２９）。電源状態がオフの場合、電源回路１３を起動する（ステップ１３０）。電源状態がオンの場合、並びに、電源状態がオフであって電源回路１３を起動した後、コマンドがプレーヤ４０に対するコマンドか、テレビジョン受像機４１に対するコマンドかを判断する（ステップ１３１）。リモートコントローラ４２のキーボード５４には、プレーヤ４０を操作するコマンド用キーと、テレビジョン受像機４１を操作するコマンド用キーが混在している。また、無線送受信部２４からプレーヤ４０のコマンドを受信することもある。プレーヤ４０に対するコマンドであれば、当該コマンドの処理を実行する（ステップ１３２）。一方、テレビジョン受像機４１に対するコマンドであれば、無線送受信部１７にコマンドの送信を指示する（ステップ１３３）。
【００１８】
無線送受信部２４は、リモートコントローラ４３及び無線送受信部１７からのコマンドを受信すると、受信したコマンドを制御部５３に出力する。制御部５３は受信したコマンドに対応する処理を実行する。また、制御部５３は、現在のテレビジョン受像機４１の電源状態を保持する。電源状態はオン及びオフの状態があり、電源回路２３を起動したらオンとなり、電源回路２３を停止したらオフとなる。電源回路２３は、ＷｉｒｅｌｅｓｓＨＤ送受信部５１及びディスプレイパネル２１に電源を供給する。電源回路２３は、制御部５３から起動を指示されたとき電源を供給し、停止を指示されたら電源の供給を中止する。
【００１９】
図９は図７の無線映像再生システムのテレビジョン受像機４１の制御部５３により実行される通信制御処理を示すフローチャートである。
【００２０】
図９において、制御部５３は、無線送受信部２４からコマンドの通知を受ける。これを処理するため、ステップ１４０で、無線送受信部２４からのコマンドの通知の有無を確認する。コマンドを通知された場合、電源状態を確認する（ステップ１４１）。電源状態がオフの場合電源回路２３を起動する（ステップ１４２）。一方、電源状態がオンの場合、並びに、電源状態がオフであって電源回路２３を起動した後、コマンドがプレーヤ４０に対するコマンドか、テレビジョン受像機４１に対するコマンドかを判断する（ステップ１４３）。リモートコントローラ４３のキーボード５２には、プレーヤ４０を操作するコマンド用キーと、テレビジョン受像機４１を操作するコマンド用キーが混在している。テレビジョン受像機４１に対するコマンドであれば、当該コマンドの処理を実行する（ステップ１４５）。一方、プレーヤ４０に対するコマンドであれば、無線送受信部２４にコマンドの送信を指示する（ステップ１４４）。
【００２１】
図１０は図７の無線映像再生システムにおいてコマンドを用いて無線通信を行うときのシーケンス図である。
【００２２】
図１０において、まず、プレーヤ４０の無線送受信部１７と、テレビジョン受像機４１の無線送受信部２４はそれぞれ受信状態２１０及び受信状態２１７にあるとする。プレーヤ４０が無線通信を行う場合は、プレーヤ４０の無線送受信部１７はまず受信状態から送信状態２１１に遷移し、所望のコマンドが含まれるパケット２１５を送信する。送信状態では、パケットを受信することができない。無線送受信部１７はパケット送信後、受信状態２１２となりアクノリッジ信号の受信を待つ。無線送受信部２４は、受信状態２１７でパケットを受信した場合、送信状態２１８に遷移し、アクノリッジ信号のパケット２１６を送信し、送信後受信状態２１９に遷移する。無線送受信部１７は、アクノリッジ信号を受信することでパケットの送信を完了する。
【００２３】
図１１は図７の無線映像再生システムにおいてテレビジョン受像機４１の無線送受信部２４がパケットを受信できなかったときのシーケンス図である。
【００２４】
図１１において、無線送受信部１７がパケット２１５を送信し、受信状態２１２に遷移するが、無線送受信部２４がパケット２１５をなんらかの理由で受信できなかった場合、アクノリッジ信号のパケットは送信されず、依然パケット受信状態２１７を維持する。無線送受信部１７は受信状態２１２で一定時間内にアクノリッジ信号のパケットが受信できない場合は、再度パケット送信を行うため、送信状態２２０に遷移し、パケット２２１を送信し、受信状態２２２に遷移する。無線送受信部２４がパケット２２１を受信した場合、送信状態２２３に遷移し、アクノリッジ信号のパケット２２４を送信した後、受信状態２２５に遷移する。無線送受信部１７はアクノリッジ信号のパケット２２４を受信し、パケットの送信の完了とする。このようにパケットが受信できなかったときにリトライを行い、信頼性を向上させる。
【００２５】
図１０及び図１１では無線送受信部１７、すなわちプレーヤ４０がコマンドを送信したときのシーケンスを説明したが、テレビジョン受像機４１、すなわち無線送受信部２４がコマンドを送信する場合も同様のシーケンスとなる。
【先行技術文献】
【特許文献】
【００２６】
【特許文献１】特開２００９−１２４４５５号公報
【特許文献２】特開平３−２０８４３１号公報
【特許文献３】米国特許第４８９７８３１号明細書
【特許文献４】米国特許第５１２１３８２号明細書
【特許文献５】米国特許出願公開第２０１０／０１４２４１８号明細書
【非特許文献】
【００２７】
【非特許文献１】IEEE Standard for Information technology - Telecommunications and information exchange between systems - Local and metropolitan area networks - Specific requirement Part 15.4: Wireless Medium Access Control and Physical Layer Specifications for Low-Rate Wireless Personal Area Networks (IEEE 802.15.4), 2006.
【発明の概要】
【発明が解決しようとする課題】
【００２８】
図１２は図７の無線映像再生システムにおいてプレーヤ４０の無線送受信部１７とテレビジョン受像機４１の無線送受信部２４とが実質的ほぼ同時に送信を開始したときのシーケンス図である。
【００２９】
一般に、無線送受信部１７と無線送受信部２４は、ほぼ同時に送信を開始する場合がある。例えば、ユーザがリモートコントローラ４３を用いてプレーヤ４０を操作するとほぼ同時にタイマー回路１６が起動したような場合である。この場合、デッドロックが発生し、送信されるパケットは双方受信できない場合がある。この場合のシーケンスを図１２に示す。
【００３０】
図１２において、無線送受信部１７と無線送受信部２４はそれぞれ受信状態２４０と受信状態２４４にある。制御部からのコマンド送信の指示がほぼ同時にあった場合、無線送受信部１７は送信状態２４１−１に遷移し、コマンドが含まれるパケット２４３−１を送信し、アクノリッジ信号待ちのための受信状態２４２−１に遷移する。一方、無線送受信部２４も送信状態２４５−１に遷移し、コマンドが含まれるパケット２４７−１を送信し、受信待機状態２４６−１に遷移する。この場合、パケット２４３−１は、無線送受信部２４が送信状態２４５−１にあるときに到着するので、無線送受信部２４はこれを受信することができない。従って、一定時間内にアクノリッジ信号が受信できない無線送受信部１７は再度送信状態２４１−２に遷移し、パケット２４３−２を送信し、受信状態２４２−２に遷移するリトライを行う。また、パケット２４７−１は、無線送受信部１７が送信状態２４１−２にあるときに到着するので、無線送受信部１７はこれを受信することができず、無線送受信部２４は再度送信状態２４５−２に遷移し、パケット２４７−２に送信し、受信状態２４６−２に遷移するリトライを行う。
【００３１】
このように、無線送受信部１７と無線送受信部２４がそれぞれリトライを繰り返し、いずれのパケットも相手に到着することがないという問題点があった。このように、両方がコマンドを互いに送信した場合、パケットが互いに到着しないことによって、コマンドを用いた通信を行うことができない。
【００３２】
本発明の目的は以上の問題点を解決し、複数の無線通信端末装置を備えた無線通信システムにおいて、２つの無線通信端末装置が互いに同時にコマンドを送信した場合であっても、互いに無線通信を行うことができる無線通信システムとそのための無線通信端末装置を提供することにある。
【課題を解決するための手段】
【００３３】
第１の発明に係る無線通信システムは、
第１の無線通信装置と第２の無線通信装置とを含む少なくとも複数の無線通信端末装置を備えた無線通信システムであって、
前記第１の無線通信装置は、
第１の無線通信路を介してデジタルデータを半二重通信で送受信する第１の無線通信部と、
第２の無線通信路を介してデジタルデータを全二重通信で送受信する第２の無線通信部と、
前記第１の無線通信部及び前記第２の無線通信部に対してデジタルデータの送信制御を行う第１の制御部とを備え、
前記第２の無線通信装置は、
前記第１の無線通信路を介して前記第１の無線通信部とデジタルデータを半二重通信で送受信する第３の無線通信部と、
前記第２の無線通信路を介して前記第２の無線通信部とデジタルデータを全二重通信で送受信する第４の無線通信部とを備え、
前記第１の制御部は、前記第２の無線通信装置に対してデジタルデータを送信するように指示するときに、前記第１の無線通信部及び前記第２の無線通信部の両方から当該同一のデジタルデータを送信するように前記第１の無線通信部及び第２の無線通信部を制御することを特徴とする。
【００３４】
上記第１の発明に係る無線通信システムにおいて、
前記第２の無線通信装置はさらに、前記第３の無線通信部及び前記第４の通信部に対してデジタルデータの受信制御を行う第２の制御部を備え、
前記第１の制御部は、前記第１の無線通信部及び前記第２の無線通信部の両方から同一のデジタルデータを送信するように指示するときに、当該同一のデジタルデータに同一のフレーム番号を付して送信するように指示し、
前記第２の制御部は、前記第３の無線通信部及び前記第４の無線通信部により同一のフレーム番号が付されたデジタルデータを受信した場合、一方のデジタルデータを破棄するように制御することを特徴とする。
【００３５】
第２の発明に係る無線通信装置は、
第１の無線通信路を介してデジタルデータを半二重通信で送受信する第１の無線通信部と、
第２の無線通信路を介してデジタルデータを全二重通信で送受信する第２の無線通信部と、
前記第１の無線通信部及び前記第２の無線通信部に対してデジタルデータの送受信制御を行う第１の制御部とを備えた第１の無線通信装置である無線通信装置であって、
前記第１の制御部は、
前記第１の無線通信部と前記第１の無線通信路を介してデジタルデータを半二重通信で送受信する第３の無線通信部と、前記第２の無線通信部と前記第２の無線通信路を介してデジタルデータを全二重通信で送受信する第４の無線通信部とを備えた第２の無線通信装置に対して、デジタルデータを送信するように指示するときに、前記第１の無線通信部及び第２の無線通信部の両方からデジタルデータを前記第２の無線通信装置に送信するように制御することを特徴とする。
【００３６】
上記第２の発明に係る無線通信装置において、前記第１の制御部は、前記第１の無線通信部及び前記第２の無線通信部の両方から同一のデジタルデータを送信するように指示するときに、当該同一のデジタルデータに同一のフレーム番号を付して送信するように指示することを特徴とする。
【００３７】
第３の発明に係る無線通信装置は、
上記第２の発明に係る無線通信装置である第１の無線通信装置と無線通信を行う第２の無線通信装置である無線通信装置であって、
前記第２の無線通信装置は、
前記第１の無線通信路を介して第１の無線通信部とデジタルデータを半二重通信で送受信する第３の無線通信部と、
前記第２の無線通信路を介して前記第２の無線通信部とデジタルデータを全二重通信で送受信する第４の無線通信部と、
前記第３の無線通信部及び前記第４の無線通信部に対してデジタルデータの送受信制御を行う第２の制御部とを備え、
前記第２の制御部は、前記第３の無線通信部及び前記第４の無線通信部により同一のフレーム番号が付されたデジタルデータを受信した場合、一方のデジタルデータを破棄するように制御することを特徴とする。
【発明の効果】
【００３８】
本発明に係る無線通信システムとそのための無線通信端末装置によれば、第１の制御部は、第２の無線通信装置に対してデジタルデータを送信するように指示するときに、前記第１の無線通信部及び前記第２の無線通信部の両方から当該同一のデジタルデータを送信するように前記第１の無線通信部及び第２の無線通信部を制御する。それ故、無線通信装置の双方が同時に相手にコマンドを通知しようとしたときであっても、互いに無線通信を行うことができ、信頼性の高い無線通信が可能となる。
【図面の簡単な説明】
【００３９】
【図１】本発明の実施形態に係る無線映像再生システムの構成を示すブロック図である。
【図２】図１の無線映像再生システムのプレーヤ１の制御部１４により実行される通信制御処理を示すフローチャートである。
【図３】図１の無線映像再生システムのテレビジョン受像機２の制御部２２により実行される通信制御処理を示すフローチャートである。
【図４】図１の無線映像再生システムにおいてプレーヤ１及びテレビジョン受像機２が両方とも電源オフの状態でコマンドを用いて無線通信を行うときのシーケンス図である。
【図５】図１の無線映像再生システムにおいて受信側のテレビジョン受像機２が電源オンの状態でコマンドを用いて通信を行うときのシーケンス図である。
【図６】図１の無線映像再生システムにおいてプレーヤ１及びテレビジョン受像機２が両方とも電源オフの状態で実質的にほぼ同時にコマンドを送信して通信を行うときのシーケンス図である。
【図７】従来技術に係る無線映像再生システムの構成を示すブロック図である。
【図８】図７の無線映像再生システムのプレーヤ４０の制御部５２により実行される通信制御処理を示すフローチャートである。
【図９】図７の無線映像再生システムのテレビジョン受像機４１の制御部５３により実行される通信制御処理を示すフローチャートである。
【図１０】図７の無線映像再生システムにおいてコマンドを用いて無線通信を行うときのシーケンス図である。
【図１１】図７の無線映像再生システムにおいてテレビジョン受像機４１の無線送受信部２４がパケットを受信できなかったときのシーケンス図である。
【図１２】図７の無線映像再生システムにおいてプレーヤ４０の無線送受信部１７とテレビジョン受像機４１の無線送受信部２４とが実質的にほぼ同時に送信を開始したときのシーケンス図である。
【発明を実施するための形態】
【００４０】
図１は本発明の実施形態に係る無線映像再生システムの構成を示すブロック図である。図１の無線映像再生システムは、プレーヤ１とテレビジョン受像機２とを備えて構成され、プレーヤ１にはリモートコントローラ３が設けられ、テレビジョン受像機２にはリモートコントローラ４が設けられる。
【００４１】
図１のプレーヤ１においてＢＤディスクの再生を行う場合、ＢＤドライブ１０でＢＤディスクの再生を行い、再生されたストリームはデコーダ１１に出力される。デコーダ１１では入力されたストリームを映像信号に変換し、ＷｉｒｅｌｅｓｓＨＤ送受信部１２に出力する。ＷｉｒｅｌｅｓｓＨＤ送受信部１２は入力された映像信号を、当該映像信号を含む無線信号に符号化してテレビジョン受像機２のＷｉｒｅｌｅｓｓＨＤ送受信部２０に送信する。なお、ＷｉｒｅｌｅｓｓＨＤ送受信部１２及び２０は、ＷｉｒｅｌｅｓｓＨＤ規格に準拠した方式で全二重通信で無線通信を行う。
【００４２】
テレビジョン受像機２のＷｉｒｅｌｅｓｓＨＤ送受信部２０は受信した無線信号から映像信号を復号化してディスプレイパネル２１に出力し、ディスプレイパネル２１は映像信号の画像を表示する。ＢＤドライブ１０とデコーダ１１及びＷｉｒｅｌｅｓｓＨＤ送受信部１２は電源回路１３によって電源を供給されており、制御部１４によって適宜、電源がオン又はオフされる。
【００４３】
また、ＷｉｒｅｌｅｓｓＨＤ送受信部２０とディスプレイパネル２１は電源回路２３によって電源を供給されており、制御部２２によって適宜、その電源がオン又はオフされる。電源回路１３及び電源回路２３によって電源を供給される部分以外は、図示されない電源によって常時電源を供給される。リモートコントローラ３は、キーボード３１と無線送信部３０とを備えて構成される。キーボードはプレーヤ１及びテレビジョン受像機２を操作する複数のキーを含み、各キーにコマンドが割り当てられている。キーボード３１のあるキーが押されたとき、押されたキーに対応するコマンドを無線送信部３０に送信し、無線送信部３０は受信したコマンドを無線送受信部１７に送信する。これらのコマンドには、プレーヤ１の電源のオン・オフ、テレビジョン受像機２の電源のオン・オフ、ＢＤドライブ１０の再生・ストップ・早送りなどの種類がある。リモートコントローラ４は、キーボード３３と無線送信部３２とを備えて構成される。キーボード３３はプレーヤ１及びテレビジョン受像機２を操作する複数のキーを含み、各キーにコマンドが割り当てられている。キーボード３３のあるキーが押されたとき、押されたキーに対応するコマンドを無線送信部３２に送信し、無線送信部３２はコマンドを無線送受信部２４に送信する。これらのコマンドには、プレーヤ１の電源のオン・オフ、テレビジョン受像機２の電源のオン・オフ、ＢＤドライブ１０の再生・ストップ・早送り、画面の明るさの変更などの種類のコマンドがある。
【００４４】
ＷｉｒｅｌｅｓｓＨＤ送受信部１２は、映像信号を含む無線信号をＷｉｒｅｌｅｓｓＨＤ送受信部２０に送信する一方、ＷｉｒｅｌｅｓｓＨＤ送受信部２０との間でコマンドを含む無線信号を送信あるいは受信する。ＷｉｒｅｌｅｓｓＨＤ送受信部１２におけるコマンドの送信指示は制御部１４によって行われ、また、ＷｉｒｅｌｅｓｓＨＤ送受信部１２によりコマンドを受信したときは、そのコマンドの受信を制御部１４に通知する。なお、無線送信部３０，３２、無線送受信部１７及び無線送受信部２４は、ＩＥＥＥ８０２．１５．４規格に準拠した方式で半二重通信で無線通信を行う。
【００４５】
無線送受信部１７は、リモートコントローラ３及び無線送受信部２４から送信されるコマンドを受信して制御部１４に出力する。また、無線送受信部１７は、制御部１４からコマンドの送信を指示されると、そのコマンドを含む無線信号を無線送受信部２４に送信する。無線送受信部１７は、コマンドを含む無線信号を受信したとき、送信元にアクノリッジ信号を含む無線信号を返す。また、コマンドを送信したとき、アクノリッジ信号が一定時間内に受信できなかったときは、再度コマンドを送信する、いわゆるリトライをアクノリッジ信号が受信できるまで実施する。なお、無線送受信部１７，２４間の無線通信路（又は無線通信回線）と、ＷｉｒｅｌｅｓｓＨＤ送受信部１２，２０間の無線通信路（又は無線通信回線）とは、互いに異なる例えば周波数帯又はチャンネルを有する異なる無線通信路である。
【００４６】
電源スイッチ１５はユーザが操作できるスイッチであり、電源スイッチ１５が押された場合、押された情報を制御部１４に出力する。タイマー回路１６は内部に時計回路を持ち、一定時刻になると一定時刻になったことを制御部１４に通知する。電源回路１３は、ＢＤドライブ１０、デコーダ１１及びＷｉｒｅｌｅｓｓＨＤ送受信部１２に電源を供給する。電源回路１３は、制御部１４から起動を指示されたとき電源を供給し、停止を指示されたら電源の供給を中止する。
【００４７】
図２は図１の無線映像再生システムのプレーヤ１の制御部１４により実行される通信制御処理を示すフローチャートである。
【００４８】
図２において、制御部１４は、タイマー回路１６から一定時刻になった通知を受け、電源スイッチ１５からスイッチが押された通知を受け、無線送受信部１７からコマンドの通知を受け、さらに、ＷｉｒｅｌｅｓｓＨＤ送受信部１２からコマンドの通知を受ける。これらのコマンドはシーケンス番号を含む。シーケンス番号は、コマンドごとに増加する番号である。制御部１４は、コマンドを送信するときに付加するシーケンス番号を送信シーケンス番号として制御部１４内のメモリ１４ｍに保存し、コマンドを送信する場合は、この送信シーケンス番号をコマンドに付加して送信する。また、制御部１４は、最後に通知されたコマンドに含まれるシーケンス番号を受信シーケンス番号として制御部１４内のメモリ１４ｍに保存する。
【００４９】
これらを処理するため、図２のステップ１００で、タイマー回路１６からの通知の有無を判断し、ステップ１０４で電源スイッチ１５からの通知を判断し、ステップ１０８でコマンドの通知を判断する。コマンドは無線送受信部１７及びＷｉｒｅｌｅｓｓＨＤ送受信部１２から通知されるが、区別はない。また、制御部１４は、現在のプレーヤ１の電源状態を保持する。電源状態はオン及びオフの状態があり、電源回路１３を起動したらオン、電源回路１３を停止したらオフとなる。
【００５０】
図２において、制御部１４は、まずタイマー回路１６からの通知があるかどうか判断する（ステップ１００）。通知がある場合には、電源状態を確認する（ステップ１０１）。電源状態がオフであれば電源回路１３を起動する（ステップ１０２）。電源状態がオンの場合、並びに電源状態がオフの場合で電源回路１３を起動した後、電源オンコマンドの送信指示を無線送受信部１７に出力し、また電源オンコマンドの送信指示をＷｉｒｅｌｅｓｓＨＤ送受信部１２に出力し、メモリ１４ｍ内の送信シーケンス番号をインクリメントし、ＢＤドライブ１０にＢＤの再生をさせる（ステップ１０３）。また、無線送受信部１７はコマンドの送信指示が入力されたとき、テレビジョン受像機４１の無線送受信部２４に、送信指示されたコマンドを送信する。また、ＷｉｒｅｌｅｓｓＨＤ送受信部１２はコマンドの送信指示が入力されたとき、テレビジョン受像機２の無線送受信部２０に送信指示されたコマンドを送信する。無線送受信部１７が送信するコマンドとＷｉｒｅｌｅｓｓＨＤ送受信部１２が送信するコマンドのシーケンス番号は同一である。
【００５１】
タイマー回路１６からの通知がない場合（ステップ１００でＮＯ）、電源スイッチ１５からの通知があるかどうか判断する（ステップ１０４）。電源スイッチ１５からの通知がある場合、電源状態を確認する（ステップ１０５）。電源状態がオンの場合、電源オフコマンドの送信を無線送受信部１７に送信指示し、電源オフコマンドをＷｉｒｅｌｅｓｓＨＤ送受信部１２に指示し、メモリ１４ｍ内の送信シーケンス番号をインクリメントし、電源回路１３を停止する（ステップ１０７）。電源状態がオフの場合、電源回路１３を起動し、電源オンコマンドの送信指示を無線送受信部１７に出力し、電源オンコマンドをＷｉｒｅｌｅｓｓＨＤ送受信部１２から送信し、メモリ１４ｍ内の送信シーケンス番号をインクリメントする（ステップ１０６）。
【００５２】
電源スイッチ１６からの通知がない場合（ステップ１０４でＮＯ）、無線送受信部１７及びＷｉｒｅｌｅｓｓＨＤ送受信部１２からのコマンド通知の有無を判断する（ステップ１０８）。コマンドが通知された場合、コマンドに含まれるシーケンス番号を確認する（ステップ１０９）。シーケンス番号がメモリ１４ｍに保存してある受信シーケンス番号と同一であれば、なにも実行しない。すなわち、当該コマンド（受信したデジタルデータ）を破棄する。一方、シーケンス番号がメモリ１４ｍに保存してある受信シーケンス番号と異なれば（ステップ１０９でＹＥＳ）、受信シーケンス番号をメモリ１４ｍに保存し（ステップ１１０）、電源状態を確認する（ステップ１１１）。電源状態がオフの場合、電源回路１３を起動する（ステップ１１２）。電源状態がオンの場合、並びに電源回路１３を起動した後、コマンドがプレーヤ２に対するコマンドか、テレビジョン受像機２に対するコマンドかを判断する（ステップ１１３）。リモートコントローラ３のキーボード３１は、プレーヤ１を操作するキーと、テレビジョン受像機２を操作するコマンドのためのキーが混在している。プレーヤ２に対するコマンドであればコマンドの処理を実行する（ステップ１１５）。テレビジョン受像機２に対するコマンドであれば、無線送受信部１７に対応するコマンドの送信を指示し、ＷｉｒｅｌｅｓｓＨＤ送受信部１２に当該コマンドの送信を指示し、メモリ１４ｍ内の送信シーケンス番号をインクリメントする。
【００５３】
次に、図１を参照して、テレビジョン受像機２の動作について説明する。
【００５４】
図１の無線送受信部２４は、リモートコントローラ４及び無線送受信部１７からのコマンドを受信すると受信したコマンドを制御部２２に出力する。制御部２２は、コマンドに対応する処理を実行する。また、制御部２２は、現在のテレビジョン受像機２の電源状態を保持する。電源状態はオン及びオフの状態があり、電源回路２３を起動したらオン、電源回路２３を停止したらオフとなる。電源回路２３は、ＷｉｒｅｌｅｓｓＨＤ送受信部２０及びディスプレイパネル２１に電源を供給する。電源回路２３は、制脚部２２から起動を指示されたとき電源を供給し、停止を指示されたら電源の供給を中止する。
【００５５】
ＷｉｒｅｌｅｓｓＨＤ送受信部２０は、映像信号を含む無線信号をＷｉｒｅｌｅｓｓＨＤ送受信部１２から受信する一方、ＷｉｒｅｌｅｓｓＨＤ送受信部１２との間でコマンドを含む無線信号を送信あるいは受信する。コマンドの送信の指示は制御部２２によって行われ、また、ＷｉｒｅｌｅｓｓＨＤ送受信部２０がコマンドを受信したときは、そのコマンドの受信を制御部２２に通知する。
【００５６】
図３は図１の無線映像再生システムのテレビジョン受像機２の制御部２２により実行される通信制御処理を示すフローチャートである。
【００５７】
図３において、制御部２２は、無線送受信部２４とＷｉｒｅｌｅｓｓＨＤ送受信部２０からコマンドの通知を受ける。これを処理するため、ステップ１２０で、無線送受信部２４あるいはＷｉｒｅｌｅｓｓＨＤ送受信部２０からのコマンドの通知の有無を確認する。コマンドを通知された場合、コマンドに含まれるシーケンス番号を確認する（ステップ１２１）。シーケンス番号がメモリ２２ｍに保存してある受信シーケンス番号と同一であれば、なにも実行しない。すなわち、受信されたコマンド（受信したデジタルデータ）を破棄する。一方、シーケンス番号がメモリ２２ｍに保存してある受信シーケンス番号と異なれば（ステップ１２１でＹＥＳ）、受信シーケンス番号をメモリ２２ｍに保存し（ステップ１２２）、電源状態を確認する（ステップ１２３）。電源状態がオフの場合電源回路２３を起動する（ステップ１２４）。電源状態がオンの場合、並びに電源回路２３を起動した後、コマンドがプレーヤ１に対するコマンドか、テレビジョン受像機２に対するコマンドかを判断する（ステップ１２５）。リモートコントローラ４のキーボード３１には、プレーヤ１を操作するキーと、テレビジョン受像機２を操作するコマンドのためのキーが混在している。テレビジョン受像機２に対するコマンドであれば、対応するコマンドの処理を実行する（ステップ１２７）。プレーヤ１に対するコマンドであれば、無線送受信部２４にコマンドの送信を指示し、ＷｉｒｅｌｅｓｓＨＤ送受信部２０にコマンドの送信を指示し、メモリ２２ｍ内の送信シーケンス番号をインクリメントする（ステップ１２６）。
【００５８】
図４は図１の無線映像再生システムにおいてプレーヤ１及びテレビジョン受像機２が両方とも電源オフの状態でコマンドを用いて無線通信を行うときのシーケンス図である。
【００５９】
図４のシーケンスの当初において、プレーヤ１とテレビジョン受像機２が両方とも電源オフの状態では、無線送受信部である無線送受信部１７と無線送受信部２４はそれぞれ受信状態３００及び受信状態３０１にある。また、制御部１４及び制御部２２の電源状態がそれぞれオフ状態３０２とオフ状態３０３にあり、ＷｉｒｅｌｅｓｓＨＤ送受信部１２とＷｉｒｅｌｅｓｓＨＤ送受信部２０には電源が供給されていない。
【００６０】
図４において、プレーヤ１が無線通信を行う場合は、制御部１４はＷｉｒｅｌｅｓｓＨＤ送受信部１２に電源を供給するため電源回路１３を起動する（３０４）。電源回路１３は電源を供給し、電源状態がオン状態３０５になり、ＷｉｒｅｌｅｓｓＨＤ送受信部１２に電源が供給される。次いで、制御部１４は、ＷｉｒｅｌｅｓｓＨＤ送受信部１２に、ＷｉｒｅｌｅｓｓＨＤ送受信部２０へのコマンドの送信を指示する（３０６）。ＷｉｒｅｌｅｓｓＨＤ送受信部１２は、コマンドの送信を試みるが（３０７）、ＷｉｒｅｌｅｓｓＨＤ送受信部２０の電源が供給されていないので失敗する。また一方、制御部１４は無線送受信部１７に、無線送受信部２０へのコマンドの送信を指示する（３０８）。無線送受信部１７が、送信状態３０９に遷移し、パケット３１０を送信するとともに、アクノリッジ信号の受信のため、受信状態３１１に遷移する。一方、無線送受信部２４はパケット３１０を受信すると送信状態３１２に遷移し、アクノリッジ信号３１３を送信するとともに、制御部２２にパケットの受信を通知する（３１４）。そして、無線送受信部２４は受信状態３１５に遷移する。一方、無線送受信部１７はアクノリッジ信号３１３を受信することでパケットの送信を完了する。
【００６１】
以上説明したように、受信側のＷｉｒｅｌｅｓｓＨＤ送受信部２０の電源状態がオフであっても無線送受信部１７と無線送受信部２４とでパケット通信を行うことで所望のコマンドを受信側に通知することができる。
【００６２】
図５は図１の無線映像再生システムにおいて受信側のテレビジョン受像機２が電源オンの状態でコマンドを用いて通信を行うときのシーケンス図である。このシーケンスは概略図４のシーケンスと同様である。以下、相違点について説明する。
【００６３】
図５において、ＷｉｒｅｌｅｓｓＨＤ送受信部２０の電源状態はオン状態３２０である。ＷｉｒｅｌｅｓｓＨＤ送受信部１２はコマンドの送信指示３０６を受け、コマンド３２１をＷｉｒｅｌｅｓｓＨＤ送受信部２０に送信する。ここで、ＷｉｒｅｌｅｓｓＨＤ送受信部２０の電源状態がオンであるので、ＷｉｒｅｌｅｓｓＨＤ送受信部２０へのコマンド送信が成功する。ＷｉｒｅｌｅｓｓＨＤ送受信部２０は、パケット３２１を受信したとき、制御部２２にパケット通知（３２２）を行う。従って、制御部２２は、ＷｉｒｅｌｅｓｓＨＤ送受信部２０及び無線送受信部２４の両方からコマンドの通知をされる。この場合、制御部２２は、各パケットに含まれるシーケンス番号を調べ、最初に通知されたコマンドの処理を実行し、同一のシーケンス番号のために、後で通知されたコマンドの処理を実行しない。すなわち、後で通知されたコマンド（受信したデジタルデータ）を破棄する。そのため、コマンドの通知を受け、コマンドの処理を実行したときにシーケンス番号を受信シーケンス番号としてメモリ２２ｍに保存し、後で同一シーケンス番号のコマンドが通知されたときにチェックを行い、同一のシーケンス番号であれば処理を実行しない。すなわち、そのコマンド（受信したデジタルデータ）を破棄する。
【００６４】
図６は図１の無線映像再生システムにおいてプレーヤ１及びテレビジョン受像機２が両方とも電源オフの状態で実質的にほぼ同時にコマンドを送信して通信を行うときのシーケンス図である。図６の当初において、ＷｉｒｅｌｅｓｓＨＤ送受信部１２及びＷｉｒｅｌｅｓｓＨＤ送受信部２０はそれぞれ電源状態がオフ状態３２０とオン状態３２１とする。また、無線送受信部１７及び無線送受信部２４は受信状態３２２と受信状態３２３とする。
【００６５】
図６において、制御部１４は、コマンドを送信する際にまず電源状態をオンにし（３２４）、次いで、ＷｉｒｅｌｅｓｓＨＤ送受信部１２にコマンドの送信を指示し（３２５）、そして無線送受信部１７にコマンドの送信を指示する（３２６）。ＷｉｒｅｌｅｓｓＨＤ送受信部１２は、オン状態３２７になり、次いで、コマンド３２８をＷｉｒｅｌｅｓｓＨＤ送受信部２０に送信する。ＷｉｒｅｌｅｓｓＨＤ送受信部２０はコマンド３２８を受信すると、そのコマンドを制御部１４に通知する（３２９）。一方、制御部２２も実質的にほぼ同じころにコマンドの送信を行う。制御部２２はＷｉｒｅｌｅｓｓＨＤ送受信部２０にコマンドの送信を指示し（３３１）、そして、無線送受信部２０にコマンドの送信を指示する（３３２）。ＷｉｒｅｌｅｓｓＨＤ送受信部２０はコマンド３３４をＷｉｒｅｌｅｓｓＨＤ送受信部１２に送信する。ＷｉｒｅｌｅｓｓＨＤ送受信部１２はコマンド３３４を受信すると、そのコマンドを制御部１４に通知する（３３５）。
【００６６】
一方、コマンドの送信が通知された無線送受信部１７は送信状態３３６に遷移し、パケット３３７を無線送受信部２４に送信し、受信状態３３８に遷移する。一方、実質的にほぼ同じころに無線送受信部２４もまた送信状態３３９に遷移し、パケット３４０を送信し受信状態３４１に遷移する。パケット３３７は無線送受信部２４が送信状態３３９にあるときに到着するため、受信することができない。そのため、無線送受信部１７は受信状態３３８にあるときにアクノリッジ信号を受信できず、リトライのため送信状態３４２に遷移しパケット３４３を送信し受信状態３４４に遷移する。一方、パケット３４０は無線送受信部１７が送信状態３４２にあるときに到着することができず、受信することができない。そのため、無線送受信部２４は受信状態３４１にあるときにアクノリッジ信号を受信できずリトライのため、送信状態３４５に遷移しパケット３４６を送信し受信状態３４７に遷移する。このように、無線送受信部１７及び無線送受信部２４は、一定回数リトライを繰り返す。しかしながら、ＷｉｒｅｌｅｓｓＨＤ送受信部１２とＷｉｒｅｌｅｓｓＨＤ送受信部２０の間でコマンドが送受信できる。このように、電源状態によらずまた、送信タイミングがほぼ同時であってもプレーヤ１とテレビジョン受像機２の間でコマンドをやりとりすることが可能となる。
【００６７】
図４及び図５ではプレーヤ１がコマンドを送信したときのシーケンスについて説明したが、テレビジョン受像機２がコマンドを送信する場合も同様のシーケンスとなる。
【００６８】
以上の実施形態において、プレーヤ１とテレビジョン受像機２とを備えた無線映像再生システムについて説明したが、本発明はこれに限らず、プレーヤ１とテレビジョン受像機２は種々の無線通信端末装置を備えた電子機器、もしくは電子機器を備えた無線通信端末装置であってもよく、少なくとも複数の無線通信装置間でデジタルデータを送受信する無線通信システムで構成してもよい。また、テレビジョン受像機２は、例えば表示機能のみを有するディスプレイパネル装置であってもよい。
【産業上の利用可能性】
【００６９】
以上詳述したように、本発明に係る無線通信システムとそのための無線通信端末装置によれば、第１の制御部は、第２の無線通信装置に対してデジタルデータを送信するように指示するときに、前記第１の無線通信部及び前記第２の無線通信部の両方から当該同一のデジタルデータを送信するように前記第１の無線通信部及び第２の無線通信部を制御する。それ故、無線通信装置の双方が同時に相手にコマンドを通知しようとしたときであっても、互いに無線通信を行うことができ、信頼性の高い無線通信が可能となる。
【００７０】
本発明は、テレビジョン受像機やプレーヤなどの機器間で無線通信を行う機器に利用でき、特に、同時に無線通信コマンドが発生する機器に好適である。
【符号の説明】
【００７１】
１…プレーヤ、
２…テレビジョン受像機、
３…リモートコントローラ、
４…リモートコントローラ、
１０…ＢＤドライブ、
１１…デコーダ、
１２…ＷｉｒｅｌｅｓｓＨＤ送受信部、
１３…電源、
１４…制御部、
１５…電源スイッチ、
１６…タイマー回路、
１７…無線送受信部、
２０…ＷｉｒｅｌｅｓｓＨＤ送受信部、
２１…ディスプレイパネル、
２２…制御部、
２３…電源、
２４…無線送受信部、
３０…無線送信部、
３１…キーボード、
３２…無線送信部、
３３…キーボード。
【手続補正２】
【補正対象書類名】特許請求の範囲
【補正対象項目名】全文
【補正方法】変更
【補正の内容】
【特許請求の範囲】
【請求項１】
第１の無線通信装置と第２の無線通信装置とを含む少なくとも複数の無線通信端末装置を備えた無線通信システムであって、
前記第１の無線通信装置は、
第１の無線通信路を介してデジタルデータを半二重通信で送受信する第１の無線通信部と、
第２の無線通信路を介してデジタルデータを全二重通信で送受信する第２の無線通信部と、
前記第１の無線通信部及び前記第２の無線通信部に対してデジタルデータの送信制御を行う第１の制御部とを備え、
前記第２の無線通信装置は、
前記第１の無線通信路を介して前記第１の無線通信部とデジタルデータを半二重通信で送受信する第３の無線通信部と、
前記第２の無線通信路を介して前記第２の無線通信部とデジタルデータを全二重通信で送受信する第４の無線通信部とを備え、
前記第１の制御部は、前記第２の無線通信装置に対してデジタルデータを送信するように指示するときに、前記第１の無線通信部及び前記第２の無線通信部の両方から当該同一のデジタルデータを送信するように前記第１の無線通信部及び第２の無線通信部を制御することを特徴とする無線通信システム。
【請求項２】
前記第２の無線通信装置はさらに、前記第３の無線通信部及び前記第４の通信部に対してデジタルデータの受信制御を行う第２の制御部を備え、
前記第１の制御部は、前記第１の無線通信部及び前記第２の無線通信部の両方から同一のデジタルデータを送信するように指示するときに、当該同一のデジタルデータに同一のフレーム番号を付して送信するように指示し、
前記第２の制御部は、前記第３の無線通信部及び前記第４の無線通信部により同一のフレーム番号が付されたデジタルデータを受信した場合、一方のデジタルデータを破棄するように制御することを特徴とする請求項１記載の無線通信システム。
【請求項３】
第１の無線通信路を介してデジタルデータを半二重通信で送受信する第１の無線通信部と、
第２の無線通信路を介してデジタルデータを全二重通信で送受信する第２の無線通信部と、
前記第１の無線通信部及び前記第２の無線通信部に対してデジタルデータの送受信制御を行う第１の制御部とを備えた第１の無線通信装置である無線通信装置であって、
前記第１の制御部は、
前記第１の無線通信部と前記第１の無線通信路を介してデジタルデータを半二重通信で送受信する第３の無線通信部と、前記第２の無線通信部と前記第２の無線通信路を介してデジタルデータを全二重通信で送受信する第４の無線通信部とを備えた第２の無線通信装置に対して、デジタルデータを送信するように指示するときに、前記第１の無線通信部及び第２の無線通信部の両方からデジタルデータを前記第２の無線通信装置に送信するように制御することを特徴とする無線通信装置。
【請求項４】
前記第１の制御部は、前記第１の無線通信部及び前記第２の無線通信部の両方から同一のデジタルデータを送信するように指示するときに、当該同一のデジタルデータに同一のフレーム番号を付して送信するように指示することを特徴とする請求項３記載の無線通信装置。
【請求項５】
請求項４記載の無線通信装置である第１の無線通信装置と無線通信を行う第２の無線通信装置である無線通信装置であって、
前記第２の無線通信装置は、
前記第１の無線通信路を介して第１の無線通信部とデジタルデータを半二重通信で送受信する第３の無線通信部と、
前記第２の無線通信路を介して前記第２の無線通信部とデジタルデータを全二重通信で送受信する第４の無線通信部と、
前記第３の無線通信部及び前記第４の無線通信部に対してデジタルデータの送受信制御を行う第２の制御部とを備え、
前記第２の制御部は、前記第３の無線通信部及び前記第４の無線通信部により同一のフレーム番号が付されたデジタルデータを受信した場合、一方のデジタルデータを破棄するように制御することを特徴とする無線通信装置。
【手続補正３】
【補正対象書類名】図面
【補正対象項目名】全図
【補正方法】変更
【補正の内容】
【図１】
2012026109.tif 000015
【図２】
2012026109.tif 000016
【図３】
2012026109.tif 000017
【図４】
2012026109.tif 000018
【図５】
2012026109.tif 000019
【図６】
2012026109.tif 000020
【図７】
2012026109.tif 000021
【図８】
2012026109.tif 000022
【図９】
2012026109.tif 000023
【図１０】
2012026109.tif 000024
【図１１】
2012026109.tif 000025
【図１２】
2012026109.tif 000026
【国際調査報告】
2012026109.tif 000027
2012026109.tif 000028
2012026109.tif 000029
2012026109.tif 000030